【手続補正書】
【提出日】平成24年8月27日(2012.8.27)
【手続補正１】
【補正対象書類名】特許請求の範囲
【補正対象項目名】全文
【補正方法】変更
【補正の内容】
【特許請求の範囲】
【請求項１】
通電によって電子ビームを放出するフィラメントと、
前記電子ビームが入射することによりＸ線を出射するアノードと、
前記フィラメントを収容する溝を有し、該溝の前記アノード側に面する開口から前記電子ビーム通過させる収納部材と、
前記電子ビームの経路を挟んで所定方向に相互に対向して前記溝の前記開口の前記アノード側の近傍に配置され、それぞれに電圧が印加される１対の第１電極部材と、
前記所定方向に直交する方向に相互に対向し且つ前記１対の第１電極部材を含む面と同一面上に配置され、それぞれに電圧が印加される１対の第２電極部材と、
前記第１電極部材及び前記第２電極部材に印加する電圧を制御する電圧制御手段と、
を備え、
前記収納部材の前記溝の前記開口の前記所定方向と直交する方向の幅は、
突出部により前記フィラメントが収容されている部分の前記所定方向と直交する方向の幅よりも狭く、
前記電圧制御手段は、
前記第１電極部材の前記電圧を制御することにより、前記電子ビームの前記アノードに対する照射範囲の前記所定方向のサイズの変更、及び前記電子ビームの前記所定方向への移動を制御し、
前記第２電極部材の前記電圧を制御することにより、前記電子ビームの前記アノードに対する照射範囲の前記所定方向と直交する方向のサイズの変更、及び前記電子ビームの前記所定方向と直交する方向への移動を制御する、
ことを特徴とするＸ線管。
【請求項２】
前記フィラメントは、コイルフィラメントであり、コイルの直径方向を含む面が前記所定方向と直交する方向を含むように配置され、前記コイルの前記所定方向の長さが前記コイルの直径と比べて長く構成されていることを特徴とする請求項１に記載のＸ線管。
【請求項３】
前記電圧制御手段は、
既に前記第１電極部材及び前記第２電極部材に電圧を印加している状態で、
前記第１電極部材のそれぞれに同電位状態で印加する電圧を変更することで前記所定方向の前記電子ビームの前記アノードに対する照射範囲のサイズを変更し、
前記第２電極部材のそれぞれに同電位状態で印加する電圧を変更することで前記所定方向と直交する方向の前記電子ビームの前記アノードに対する照射範囲のサイズを変更する、
ことを特徴とする請求項１又は請求項２に記載のＸ線管。
【請求項４】
前記電圧制御手段は、
既に前記第１電極部材及び前記第２電極部材に電圧を印加している状態で、
前記第１電極部材の一方の現在印加している電圧から所定電圧上げて、他方に現在印加している電圧から前記所定電圧下げることで、前記第１電極部材の一方又は他方のいずれかの方向に電子ビームを移動させ、
前記第２電極部材の一方の現在印加している電圧から所定電圧上げて、他方に現在印加している電圧から前記所定電圧下げることで、前記第２電極部材の一方又は他方のいずれかの方向に電子ビームの焦点を移動させる、
ことを特徴とする請求項１乃至請求項３のいずれか一つに記載のＸ線管。
【請求項５】
前記収納部材の前記溝を形成する部材は電圧を印加可能に構成されており、
前記電圧制御手段は、前記溝を形成する部材に対し、前記フィラメントに印加されている電圧と比較して低い電圧を印加し、前記フィラメントから放出された前記電子ビームの前記アノードへの入射をカットオフする、
ことを特徴とする、請求項１乃至請求項４のいずれか１つに記載のＸ線管。
【請求項６】
通電によって電子ビームを放出するフィラメントと、
前記電子ビームが入射することによりＸ線を出射するアノードと、
前記フィラメントを収容する溝を有し、該溝の前記アノード側に面する開口から前記電子ビーム通過させる収納部材と、
前記電子ビームの経路を挟んで所定方向に相互に対向して前記溝の前記開口の前記アノード側の近傍に配置され、それぞれに電圧が印加される１対の第１電極部材と、
前記所定方向に直交する方向に相互に対向し且つ前記１対の第１電極部材を含む面と同一面上に配置され、それぞれに電圧が印加される１対の第２電極部材と、
前記第１電極部材及び前記第２電極部材に印加する電圧を制御する電圧制御手段と、
前記電子ビームの経路上で前記第１電極部材及び前記第２電極部材と前記アノードとの間に、前記電子ビームの経路を囲うように配置された前記電子ビームの経路を偏向する電磁偏向器と、
を備え、
前記収納部材の前記溝の前記開口の前記所定方向と直交する方向の幅は、
突出部により前記フィラメントが収容されている部分の前記所定方向と直交する方向の幅よりも狭く、
前記電圧制御手段は、
前記第１電極部材の前記電圧を制御することにより、前記電子ビームの前記アノードに対する照射範囲の前記所定方向のサイズの変更を制御し、
前記第２電極部材の前記電圧を制御することにより、前記電子ビームの前記アノードに対する照射範囲の前記所定方向と直交する方向のサイズの変更を制御する、
ことを特徴とするＸ線管。
【請求項７】
Ｘ線を曝射するＸ線管と、前記Ｘ線管から曝射されたＸ線を検出する検出器と、前記検出器の検出に基づく前記投影データから画像を再構成する再構成手段と、前記Ｘ線管の制御を含む前記Ｘ線の検出によるスキャンの制御を行う制御手段と、を備えるＸ線ＣＴ装置であって、
前記Ｘ線管は、
通電によって電子ビームを放出するフィラメントと、
前記電子ビームが入射することによりＸ線を出射するアノードと、
前記フィラメントを収容する溝を有し、該溝の前記アノード側に面する開口から前記電子ビーム通過させる収納部材と、
前記電子ビームの経路を挟んで所定方向に相互に対向して前記溝の前記開口の前記アノード側の近傍に配置され、それぞれに電圧が印加される１対の第１電極部材と、
前記所定方向に直交する方向に相互に対向し且つ前記１対の第１電極部材を含む面と同一面上に配置され、それぞれに電圧が印加される１対の第２電極部材と、
を備え、
前記収納部材の前記溝の前記開口の前記所定方向と直交する方向の幅は、
突出部により前記フィラメントが収容されている部分の前記所定方向と直交する方向の幅よりも狭く、
前記制御手段は、
前記第１電極部材の前記電圧を制御することにより、前記電子ビームの前記アノードに対する照射範囲の前記所定方向のサイズの変更、及び前記電子ビームの前記所定方向への移動を制御し、前記第２電極部材の前記電圧を制御することにより、前記電子ビームの前記アノードに対する照射範囲の前記所定方向と直交する方向のサイズの変更、及び前記電子ビームの前記所定方向と直交する方向への移動を制御する電圧制御手段を備える、
ことを特徴とするＸ線ＣＴ装置。
【手続補正２】
【補正対象書類名】明細書
【補正対象項目名】００１１
【補正方法】変更
【補正の内容】
【００１１】
上記目的を達成するために、請求項１に記載のＸ線管は、通電によって電子ビームを放出するフィラメントと、前記電子ビームが入射することによりＸ線を出射するアノードと、前記フィラメントを収容する溝を有し、該溝の前記アノード側に面する開口から前記電子ビーム通過させる収納部材と、前記電子ビームの経路を挟んで所定方向に相互に対向して前記溝の前記開口の前記アノード側の近傍に配置され、それぞれに電圧が印加される１対の第１電極部材と、前記所定方向に直交する方向に相互に対向し且つ前記１対の第１電極部材を含む面と同一面上に配置され、それぞれに電圧が印加される１対の第２電極部材と、前記第１電極部材及び前記第２電極部材に印加する電圧を制御する電圧制御手段と、を備え、前記収納部材の前記溝の前記開口の前記所定方向と直交する方向の幅は、突出部により前記フィラメントが収容されている部分の前記所定方向と直交する方向の幅よりも狭く、前記電圧制御手段は、前記第１電極部材の前記電圧を制御することにより、前記電子ビームの前記アノードに対する照射範囲の前記所定方向のサイズの変更、及び前記電子ビームの前記所定方向への移動を制御し、前記第２電極部材の前記電圧を制御することにより、前記電子ビームの前記アノードに対する照射範囲の前記所定方向と直交する方向のサイズの変更、及び前記電子ビームの前記所定方向と直交する方向への移動を制御する、ことを特徴とするものである。
【手続補正３】
【補正対象書類名】明細書
【補正対象項目名】００１２
【補正方法】変更
【補正の内容】
【００１２】
請求項６に記載のＸ線管は、通電によって電子ビームを放出するフィラメントと、前記電子ビームが入射することによりＸ線を出射するアノードと、前記フィラメントを収容する溝を有し、該溝の前記アノード側に面する開口から前記電子ビーム通過させる収納部材と、前記電子ビームの経路を挟んで所定方向に相互に対向して前記溝の前記開口の前記アノード側の近傍に配置され、それぞれに電圧が印加される１対の第１電極部材と、前記所定方向に直交する方向に相互に対向し且つ前記１対の第１電極部材を含む面と同一面上に配置され、それぞれに電圧が印加される１対の第２電極部材と、前記第１電極部材及び前記第２電極部材に印加する電圧を制御する電圧制御手段と、前記電子ビームの経路上で前記第１電極部材及び前記第２電極部材と前記アノードとの間に、前記電子ビームの経路を囲うように配置された前記電子ビームの経路を偏向する電磁偏向器と、を備え、前記収納部材の前記溝の前記開口の前記所定方向と直交する方向の幅は、突出部により前記フィラメントが収容されている部分の前記所定方向と直交する方向の幅よりも狭く、前記電圧制御手段は、前記第１電極部材の前記電圧を制御することにより、前記電子ビームの前記アノードに対する照射範囲の前記所定方向のサイズの変更を制御し、前記第２電極部材の前記電圧を制御することにより、前記電子ビームの前記アノードに対する照射範囲の前記所定方向と直交する方向のサイズの変更を制御する、ことを特徴とするものである。
【手続補正４】
【補正対象書類名】明細書
【補正対象項目名】００１３
【補正方法】変更
【補正の内容】
【００１３】
請求項７に記載のＸ線ＣＴ装置は、Ｘ線を曝射するＸ線管と、前記Ｘ線管から曝射されたＸ線を検出する検出器と、前記検出器の検出に基づく前記投影データから画像を再構成する再構成手段と、前記Ｘ線管の制御を含む前記Ｘ線の検出によるスキャンの制御を行う制御手段と、を備えるＸ線ＣＴ装置であって、前記Ｘ線管は、通電によって電子ビームを放出するフィラメントと、前記電子ビームが入射することによりＸ線を出射するアノードと、前記フィラメントを収容する溝を有し、該溝の前記アノード側に面する開口から前記電子ビーム通過させる収納部材と、前記電子ビームの経路を挟んで所定方向に相互に対向して前記溝の前記開口の前記アノード側の近傍に配置され、それぞれに電圧が印加される１対の第１電極部材と、前記所定方向に直交する方向に相互に対向し且つ前記１対の第１電極部材を含む面と同一面上に配置され、それぞれに電圧が印加される１対の第２電極部材と、を備え、前記収納部材の前記溝の前記開口の前記所定方向と直交する方向の幅は、突出部により前記フィラメントが収容されている部分の前記所定方向と直交する方向の幅よりも狭く、前記制御手段は、前記第１電極部材の前記電圧を制御することにより、前記電子ビームの前記アノードに対する照射範囲の前記所定方向のサイズの変更、及び前記電子ビームの前記所定方向への移動を制御し、前記第２電極部材の前記電圧を制御することにより、前記電子ビームの前記アノードに対する照射範囲の前記所定方向と直交する方向のサイズの変更、及び前記電子ビームの前記所定方向と直交する方向への移動を制御する電圧制御手段を備える、ことを特徴とするものである。